【手続補正書】
【提出日】平成19年1月23日(2007.1.23)
【手続補正１】
【補正対象書類名】明細書
【補正対象項目名】発明の名称
【補正方法】変更
【補正の内容】
【発明の名称】制御方法、画像形成方法、及び管理装置
【手続補正２】
【補正対象書類名】明細書
【補正対象項目名】特許請求の範囲
【補正方法】変更
【補正の内容】
【特許請求の範囲】
【請求項１】  複数の画像形成装置と、該複数の画像形成装置の各々における、転写紙に画像形成できる最大画像サイズとシートサイズとの差分である余白量を記憶する記憶手段とを備えたプリンティングシステムの制御方法において、
前記複数の画像形成装置を使用してそれぞれ画像形成を行う際に、前記記憶手段に記憶している余白量の中の最大値を、前記複数の画像形成装置の各々における余白量として画像形成を行う制御工程を有することを特徴とする制御方法。
【請求項２】  前記制御工程では、搬送方向における転写紙の先端、後端、右端、及び左端の各余白量の最大値を決定することを特徴とする請求項1に記載の制御方法。
【請求項３】  前記制御工程では、前記決定された最大値に基づいて前記複数の画像形成装置の各々での画像形成領域を一定にすることを特徴とする請求項２に記載の制御方法。
【請求項４】  前記制御工程では、前記決定された最大値に基づいて前記複数の画像形成装置の各々での余白量を一定にすることを特徴とする請求項２に記載の制御方法。
【請求項５】  前記制御工程は、それぞれ画像形成を行う際に、画像形成領域外に画像がある場合、形成する画像を縮小制御する工程を含むことを特徴とする請求項３または請求項４に記載の制御方法。
【請求項６】  画像形成ジョブを分割して複数の画像形成装置でそれぞれ画像形成させる画像形成方法において、
前記複数の画像形成装置の各々における、転写紙に画像形成できる最大画像サイズとシートサイズとの差分である余白量を記憶する記憶工程と、
前記記憶された各画像形成装置における余白量の中で、最大値を選択する選択工程と、
前記選択された最大値と、画像形成を行うべき転写紙のシートサイズとから画像形成領域を算出する算出工程と、
前記算出された画像形成領域内に画像を収めるための画像データの調整を、画像形成装置ごとに行う調整工程と
を有することを特徴とする画像形成方法。
【請求項７】  画像形成ジョブを分割して、該分割された画像形成ジョブに基づいて複数の画像形成装置にそれぞれ画像形成させる管理装置において、
前記複数の画像形成装置の各々における、転写紙に画像形成できる最大画像サイズとシートサイズとの差分である余白量を収集する収集手段と、
前記収集された各画像形成装置における余白量の中で、最大値を選択する選択手段と、
前記選択された最大値と、画像形成を行うべき転写紙のシートサイズとから画像形成領域を算出する算出手段と、
前記算出された画像形成領域に基づいて画像形成させる調整手段と
を有することを特徴とする管理装置。
【手続補正３】
【補正対象書類名】明細書
【補正対象項目名】０００１
【補正方法】変更
【補正の内容】
【０００１】
【発明の属する技術分野】
本発明は、制御方法、画像形成方法、及び管理装置に関する。
【手続補正４】
【補正対象書類名】明細書
【補正対象項目名】０００７
【補正方法】変更
【補正の内容】
【０００７】
本発明はこのような問題点に鑑みてなされたものであって、複数の画像形成装置を用いて分散出力を行った場合でも、全体として均一な画像品質をもった画像出力を得られるようにした制御方法、画像形成方法、及び管理装置を提供することを目的とする。
【手続補正５】
【補正対象書類名】明細書
【補正対象項目名】０００８
【補正方法】変更
【補正の内容】
【０００８】
【課題を解決するための手段】
上記目的を達成するために、請求項１記載の発明によれば、複数の画像形成装置と、該複数の画像形成装置の各々における、転写紙に画像形成できる最大画像サイズとシートサイズとの差分である余白量を記憶する記憶手段とを備えたプリンティングシステムの制御方法において、前記複数の画像形成装置を使用してそれぞれ画像形成を行う際に、前記記憶手段に記憶している余白量の中の最大値を、前記複数の画像形成装置の各々における余白量として画像形成を行う制御工程を有することを特徴とする制御方法が提供される。
【手続補正６】
【補正対象書類名】明細書
【補正対象項目名】０００９
【補正方法】変更
【補正の内容】
【０００９】
請求項６記載の発明によれば、画像形成ジョブを分割して複数の画像形成装置でそれぞれ画像形成させる画像形成方法において、前記複数の画像形成装置の各々における、転写紙に画像形成できる最大画像サイズとシートサイズとの差分である余白量を記憶する記憶工程と、前記記憶された各画像形成装置における余白量の中で、最大値を選択する選択工程と、前記選択された最大値と、画像形成を行うべき転写紙のシートサイズとから画像形成領域を算出する算出工程と、前記算出された画像形成領域内に画像を収めるための画像データの調整を、画像形成装置ごとに行う調整工程とを有することを特徴とする画像形成方法が提供される。
【手続補正７】
【補正対象書類名】明細書
【補正対象項目名】００１０
【補正方法】変更
【補正の内容】
【００１０】
請求項７記載の発明によれば、画像形成ジョブを分割して、該分割された画像形成ジョブに基づいて複数の画像形成装置にそれぞれ画像形成させる管理装置において、前記複数の画像形成装置の各々における、転写紙に画像形成できる最大画像サイズとシートサイズとの差分である余白量を収集する収集手段と、前記収集された各画像形成装置における余白量の中で、最大値を選択する選択手段と、前記選択された最大値と、画像形成を行うべき転写紙のシートサイズとから画像形成領域を算出する算出手段と、前記算出された画像形成領域に基づいて画像形成させる調整手段とを有することを特徴とする管理装置が提供される。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】０１４２
【補正方法】変更
【補正の内容】
【０１４２】
【発明の効果】
以上詳述したように本発明によれば、複数の画像形成装置の各々における、用紙に画像形成を行ったとき画像形成され得ない部分の大きさである余白量の中で、最も大きな値を選択し、この選択された最大値と、画像形成を行うべき用紙のサイズとから有効画像領域を算出し、この算出された有効画像領域内に画像を収めるための画像データの調整を、画像形成装置ごとに行う。
【手続補正１３】
【補正対象書類名】明細書
【補正対象項目名】０１４４
【補正方法】変更
【補正の内容】
【０１４４】
また、画像を前記有効画像領域内に収まるように、前記画像のサイズを縮小する。
【手続補正１４】
【補正対象書類名】明細書
【補正対象項目名】０１４６
【補正方法】削除
【補正の内容】
【手続補正１５】
【補正対象書類名】明細書
【補正対象項目名】０１４７
【補正方法】削除
【補正の内容】
【手続補正１６】
【補正対象書類名】明細書
【補正対象項目名】符号の説明
【補正方法】変更
【補正の内容】
【符号の説明】
００１、００２  ＬＡＮ網
００３  画像データサーバ
００４  マスタプリンタ
００５、００６  画像形成装置（複合機）
００７、００８  画像形成装置
００９、０１０  コンピュータ
１  リーダ部
２  プリンタ部
３  画像メモリ
４  外部Ｉ／Ｆ処理部
１００  装置本体
１７０  画像処理部
１７１  ＣＰＵ
１７２  操作部
１７３  入出力ポート（Ｉ／Ｏ）
１７４  ＲＯＭ
１７５  ワークＲＡＭ